(57)【要約】【課題】操作表示部を簡素化し、細やかな調整を可能とする洗濯機を提供すること。【解決手段】運転行程の内容を設定する入力設定手段１と、入力設定手段１により設定された内容を表示する表示手段２と、モータ５３を制御し、洗い、すすぎ、脱水の一連の行程を逐次制御する制御手段５６とを備え、入力設定手段１は、洗い、すすぎ、脱水の行程を設定する行程設定スイッチ３０１と、すすぎ行程における水量を設定する水量設定スイッチ３０２とを有し、脱水行程を単独で行なうよう設定した場合には、水量設定スイッチ３０２ですすぎ行程における水量とは異なる運転内容を設定できるようにしたので、操作表示部が簡素化されて操作しやすくなり、使用者の細やかな要求に簡単に対応できる。また、入力設定スイッチに２つの機能切換を持たせることにより、部品のコストが減少し、部品の実装に要する面積も小さくなり、操作表示部分の配置の自由度が向上する。【選択図】図４
2014004058.tif 000002
【特許請求の範囲】
【請求項１】
中央底部に撹拌翼を回転自在に配した洗濯兼脱水槽と、前記洗濯兼脱水槽を回転自在に内包する水受け槽と、前記洗濯兼脱水槽および前記撹拌翼を回転駆動するモータと、運転行程の内容を設定する入力設定手段と、前記入力設定手段により設定された内容を表示する表示手段と、前記モータを制御し、洗い、すすぎ、脱水の一連の行程を逐次制御する制御手段とを備え、前記入力設定手段は、洗い、すすぎ、脱水の行程を設定する行程設定スイッチと、すすぎ行程における水量を設定する水量設定スイッチとを有し、脱水行程を単独で行なうよう設定した場合には、前記水量設定スイッチですすぎ行程における水量とは異なる運転内容を設定できるようにした洗濯機。
【請求項２】
脱水行程を単独で行なうよう設定した場合には、前記水量設定スイッチで脱水時間を設定できるようにした請求項１に記載の洗濯機。
【請求項３】
脱水行程を単独で行なうよう設定した場合には、前記水量設定スイッチで脱水立ち上げ速度を設定できるようにした請求項１に記載の洗濯機。
【請求項４】
脱水行程を単独で行なうよう設定した場合には、前記水量設定スイッチで脱水回転数を設定できるようにした請求項１に記載の洗濯機。
【発明の詳細な説明】
【技術分野】
【０００１】
本発明は、洗い、すすぎ、脱水の一連の行程を逐次制御する洗濯機に関するものである。
【背景技術】
【０００２】
従来、この種の洗濯機は、洗濯運転を行うにあたって、使用者が運転コース、水量、洗い時間、すすぎ回数、脱水時間を選ぶことによってお好みの設定で運転できるように、入力設定手段を設ける構成が提案されてきた（例えば、特許文献１参照）。
【０００３】
図８は、特許文献１に記載された従来の洗濯機の操作表示部の正面図を示すものである。
【０００４】
図８において、操作表示部３６は、水量設定手段３９ａ、洗い時間設定手段３９ｂ、すすぎ回数設定手段３９ｃ、脱水時間設定手段３９ｄ、乾燥時間設定手段３９ｅ、第１の運転コース入力設定手段３９ｈ、第２の運転コース入力設定手段３９ｉ、第３の運転コース入力設定手段３９ｊ、第４の運転コース入力設定手段３９ｋ、第５の運転コース入力設定手段３９ｍ、運転開始手段３９ｇなどの入力設定手段３９と、水量表示手段４０ａ、洗い時間表示手段４０ｂ、すすぎ回数表示手段４０ｃ、脱水時間表示手段４０ｄ、乾燥時間表示手段４０ｅ、残り時間または予約時間表示手段４０ｆ、進行表示手段４０ｈ、コース表示部４０ｉなどの表示手段４０とで構成されている。
【０００５】
コース表示部４０ｉは、例えば、おまかせコース表示手段４５ａ、厚物コース表示手段４５ｂ、ゴシゴシコース表示手段４５ｃ、ワイシャツコース表示手段４５ｄ、お急ぎコース表示手段４５ｅ、毛布コース表示手段４５ｆ、我が家流コース表示手段４５ｇなどで構成されている。
【０００６】
以上の構成にて、使用者が、例えば、乾燥の無い洗濯のみのあるコースを行ないたい場合は、まず第５の運転コース設定手段３９ｍを操作する。この時、第５の運転コース入力表示手段４６ｍが表示され、かつ、進行表示手段４０ｈのうち、洗い表示４４ａ、すすぎ表示４４ｂ、脱水表示４４ｃが表示されるとともに、コース表示部４０ｉのおまかせコース表示手段４５ａが表示される。使用者は、さらに第５の運転コース設定手段３９ｍを操作するたびに、コース表示部４０ｉの表示が切り換わり、好みのコースを設定することができる。また、コース設定だけではなく、個別に、水量設定手段３９ａ、洗い時間設定手段３９ｂ、すすぎ回数設定手段３９ｃ、脱水時間設定手段３９ｄをそれぞれ操作することにより、自分の好みに合わせた設定をすることもできる。
【先行技術文献】
【特許文献】
【０００７】
【特許文献１】特開２００３−６２３８５号公報
【発明の概要】
【発明が解決しようとする課題】
【０００８】
しかしながら、前記従来の構成では、使用者の、衣類の量や質、汚れ具合、あるいは仕上がり結果によって運転内容を個別に調整したい、あるいは追加で運転したいという要求に応えようとするあまりに、操作表示部の操作が複雑になってしまい、ハードウェアのコストも上昇してしまうという課題があった。
【０００９】
また、入力設定手段を節約するために、洗い、すすぎ、脱水行程について個別に設定を行うための入力設定手段を持たせない簡素化された構成にもできるが、その場合は、ハードウェアのコストは下がるが、反面、使用者の選択肢は限られて、脱水時間、脱水の強さなど使用者の要求が最も多い脱水個別機能の運転すらできなくなるという課題があった。
【００１０】
本発明は、前記従来の課題を解決するもので、操作表示部を簡素化するとともに、脱水行程のみが選択された時、脱水行程では使用しない空き入力設定手段を活用することにより、入力設定のためのハードウェアを増やさずに、脱水運転の詳細な個別設定が可能になる洗濯機を提供することを目的とする。
【課題を解決するための手段】
【００１１】
前記従来の課題を解決するために、本発明の洗濯機は、中央底部に撹拌翼を回転自在に配した洗濯兼脱水槽と、前記洗濯兼脱水槽を回転自在に内包する水受け槽と、前記洗濯兼脱水槽および前記撹拌翼を回転駆動するモータと、運転行程の内容を設定する入力設定手段と、前記入力設定手段により設定された内容を表示する表示手段と、前記モータを制御し、洗い、すすぎ、脱水の一連の行程を逐次制御する制御手段とを備え、前記入力設定手段は、洗い、すすぎ、脱水の行程を設定する行程設定スイッチと、すすぎ行程における水量を設定する水量設定スイッチとを有し、脱水行程を単独で行なうよう設定した場合には、前記水量設定スイッチですすぎ行程における水量とは異なる運転内容を設定できるようにしたものである。
【００１２】
これによって、操作表示部が簡素化されて操作しやすくなり、使用者が追加で脱水したい場合、脱水の加減を微調整したい場合などには、その細やかな要求に簡単に対応できる。なおかつ、特定の入力設定スイッチに２つの機能切換を持たせることにより、部品のコストが減少し、部品の実装に要する面積も小さくなり、操作表示部分の配置の自由度を向上させることができる。
【発明の効果】
【００１３】
本発明の洗濯機は、操作表示部が簡素化されて操作しやすくなり、例えば、脱水のみを行う場合の脱水性能の微調整なども、スイッチを増やすことなく、簡単に行なうことができる。
【図面の簡単な説明】
【００１４】
【図１】本発明の実施の形態１おける洗濯機の縦断面図
【図２】同洗濯機の機能ブロック図
【図３】同洗濯機の操作表示部の正面図
【図４】同洗濯機の操作表示の制御フローチャート
【図５】（ａ）同洗濯機の表示操作部の部分正面図、（ｂ）同洗濯機の表示操作部の部分正面図
【図６】本発明の実施の形態２おける洗濯機の操作表示の制御フローチャート
【図７】本発明の実施の形態３おける洗濯機の操作表示の制御フローチャート
【図８】従来の洗濯機の操作表示部の正面図
【発明を実施するための形態】
【００１５】
第１の発明は、中央底部に撹拌翼を回転自在に配した洗濯兼脱水槽と、前記洗濯兼脱水槽を回転自在に内包する水受け槽と、前記洗濯兼脱水槽および前記撹拌翼を回転駆動するモータと、運転行程の内容を設定する入力設定手段と、前記入力設定手段により設定された内容を表示する表示手段と、前記モータを制御し、洗い、すすぎ、脱水の一連の行程を逐次制御する制御手段とを備え、前記入力設定手段は、洗い、すすぎ、脱水の行程を設定する行程設定スイッチと、すすぎ行程における水量を設定する水量設定スイッチとを有し
、脱水行程を単独で行なうよう設定した場合には、前記水量設定スイッチですすぎ行程における水量とは異なる運転内容を設定できるようにしたことにより、操作表示部が簡素化されて操作しやすくなり、例えば、使用者が追加で脱水したい場合、脱水の加減を微調整したい場合などには、その細やかな要求に簡単に対応できる。なおかつ、特定の入力設定スイッチに２つの機能切換を持たせることにより、部品のコストが減少し、部品の実装に要する面積も小さくなり、操作表示部分の配置の自由度を向上させることができる。
【００１６】
第２の発明は、特に、第１の発明の洗濯機において、脱水行程を単独で行なうよう設定した場合には、前記水量設定スイッチで脱水時間を設定できるようにしたことにより、脱水時間の選択を可能にしたものであり、これによって、使用者は、衣類に応じて好みの脱水性能を実現することができる。
【００１７】
第３の発明は、特に、第１の発明の洗濯機において、脱水行程を単独で行なうよう設定した場合には、前記水量設定スイッチで脱水立ち上げ速度を設定できるようにしたことにより、脱水立ち上げ速度の選択を可能としたものであり、これによって、使用者は、振動騒音低減や時間短縮など、好みに応じた脱水を実現することができる。
【００１８】
第４の発明は、特に、第１の発明の洗濯機において、脱水行程を単独で行なうよう設定した場合には、前記水量設定スイッチで脱水回転数を設定できるようにしたことにより、脱水回転数の選択を可能としたものであり、これによって、使用者は、振動騒音低減や時間短縮、および、衣類に応じた好みの脱水性能を実現することができる。
【００１９】
以下、発明の実施の形態について、図面を参照しながら説明する。また、この実施の形態によって本発明が限定されるものではない。
【００２０】
（実施の形態１）
図１は、本発明の実施の形態１における洗濯機の縦断面図を示すものである。
【００２１】
図１において、洗濯兼脱水槽１４は、内底面に撹拌翼１５を回転自在に配設し、水受け槽１６は、洗濯兼脱水槽１４を回転自在に内包し，モータ５３は、Ｖベルト１８および減速機構兼クラッチ５４を介して、洗濯兼脱水槽１４または撹拌翼１５を回転駆動する。
【００２２】
水受け槽１６の外底部に配した排水弁５２は、排水コック２１と連動して洗濯兼脱水槽１４内の洗濯水を排水し、外枠２２上方の上部枠体２７の後内部に設けられた給水弁５１は、洗濯兼脱水槽１４内に給水するものであり、図示しない水位センサ５５（図２参照）にて水位を検知して給水を停止する。また、排水弁５２は、上部枠体２７の前内部に設けられた制御装置４で制御されているが、減速機構兼クラッチ５４および排水コック２１と同時に、または、それぞれ個別に連動できるようになっている。
【００２３】
また、水受け槽１６は、外枠２２にサスペンション２４によって垂下防振支持されている。環状流体バランサー２５は洗濯兼脱水槽１４の上部に設けられ、脱水時の振動を低減するものである。
【００２４】
また、制御装置４は、後述する入出力切換手段３や制御手段５６などを有する。
【００２５】
また、上部枠体２７の前面部に設けられた操作表示部２８には、使用者が運転コースや水位などを設定し、運転の開始、停止などをするための入力設定手段１（図２参照）、およびその設定内容や運転の進行度合いなどを表示する表示手段２（図２参照）が設けられている。
【００２６】
図２は、本発明の実施の形態１における洗濯機の機能ブロック図である。
【００２７】
図２において、制御装置４の入力設定手段１は、使用者からの、コース、水量、行程の設定、運転スタートや一時停止、電源ＯＮ／ＯＦＦなどの操作を受け付けるスイッチ類で、入力設定手段１からの入力結果に応じて、表示手段２にて、使用者に設定内容を表示する。
【００２８】
入出力切換手段３は、入力設定手段１を通じて指定された行程に応じて、特定の入力設定手段の機能を異なる機能に変更して切り換え、表示手段２の表示も切り換えるものであり、図３にて詳述する。
【００２９】
制御手段５６は、入力設定手段１にて設定された内容に応じて、洗濯実行手段５を介して、給水弁５１、排水弁５２、モータ５３、減速機構兼クラッチ５４等を制御し、洗い、すすぎ、脱水の一連の行程を逐次制御する。
【００３０】
なお、入力設定手段１の例としては、プッシュＳＷ、ダイヤルＳＷなどのデバイスが挙げられ、表示手段２の例としては、ＬＥＤ、ＬＣＤ、スピーカーといったデバイスが挙げられる。
【００３１】
図３は、本発明の実施の形態１における洗濯機の操作表示部の正面図である。
【００３２】
図３において、操作表示部２８の入力設定手段１は、行程設定スイッチ３０１、水量設定スイッチ３０２、コース設定スイッチ３０４、スタート／一時停止スイッチ３０３、電源入スイッチ３０５、電源切スイッチ３０６等で構成されている。
【００３３】
そして、表示手段２は、設定した行程の表示と進行度合いを行程ＬＥＤ３１１で、水量や残り時間（時間または分単位）を７セグメントＬＥＤ３１２で、設定されたコースをコースＬＥＤ３１３で表示する。
【００３４】
以上のように構成された洗濯機について、以下、その動作、作用を説明する。
【００３５】
図４は、本発明の実施の形態１における洗濯機の操作表示の制御フローチャートであり、図５（ａ）および（ｂ）は、同洗濯機の操作表示部の部分正面図を示すものであり、図５（ａ）は、洗い〜脱水までの連続した行程が設定された場合を示し、図５（ｂ）は、脱水のみが設定された場合を示す。
【００３６】
図４および図５（ａ）、図５（ｂ）において、使用者が、洗濯物を洗濯兼脱水槽１４に入れた後、電源入スイッチ３０５を押して電源を入れる（ステップＳ１）。そして、コース設定スイッチ３０４で運転するコースを選択（ステップＳ２）し、行程設定スイッチ３０１で、洗い、すすぎ、脱水の連続した行程を選択する（ステップＳ３のＮＯ）と、行程ＬＥＤ３１１の洗い、すすぎ、脱水のＬＥＤが点灯する。この時、ステップＳ４にて、入出力切換手段３は、水量設定スイッチ３０２を洗い、すすぎに使用する水受け槽１６内の水量の設定用に割り当てる。また、７セグメントＬＥＤ３１２も水量表示用に割り当てる。そして、水量設定スイッチ３０２が押されると、水量を例えば２０Ｌ  →３０Ｌ→４０Ｌというように設定変更し、現在の設定水量が７セグメントＬＥＤ３１２に表示されるので、使用者は、好みに合わせて水量を設定することができる（ステップＳ５）。一方で、選択した運転コースに応じて、洗い時間、すすぎ回数、脱水時間はあらかじめ用意されたパターンが設定される。例えば洗い１２分、すすぎ２回、脱水５分といった形である。
【００３７】
ステップＳ５にて水量設定後、ステップＳ６にてスタート／一時停止スイッチ３０３を
押すと、行程がスタート（ステップＳ７）し、行程の進行に応じて７セグメントＬＥＤ３１２にて残時間が表示され（ステップＳ８）、所定の行程を運転して行程が終了する（ステップＳ９）。
【００３８】
一方、ステップＳ２で運転するコースを選択した後、行程設定スイッチ３０１で、脱水行程のみが選択された場合（ステップＳ３のＹＥＳ）は、行程ＬＥＤ３１１の脱水のＬＥＤが点灯する。ここで、脱水行程では、水受け槽１６に水を入れることは無いので、水量の設定は不要であるから、入出力切換手段３は、水量設定スイッチ３０２を脱水時間の設定用に変更して切り換え、７セグメントＬＥＤ３１２も脱水時間用に変更して切り換える（ステップＳ１０）。これにより、水量設定スイッチ３０２が押されるたびに、例えば１分刻みに脱水時間が７メントＬＥＤ３１２に表示されるので、使用者は、好みに合わせて脱水時間を任意に選択することができる（ステップＳ１１）。
【００３９】
なお、操作表示部２８の図では、水量設定スイッチ３０２は水量と表示しているが、これは、本来の機能を表したものであり、スイッチ上あるいは周辺部に、脱水のみ運転時には脱水時間の設定に使えるスイッチであることを表記しておけば、使用者の混乱は防止できる。
【００４０】
以上のように、本実施の形態においては、洗い、すすぎ、脱水のいずれかの行程を連続して行なうよう入力設定された場合は、入力設定された内容にて運転し、単独の行程を行なうよう入力設定された場合、ここでは、脱水のみの行程が選択された場合は、入出力切換手段により、水量設定スイッチの機能を脱水時間設定用に変更し切り換えるようにして、脱水時間の選択を可能にしたものであり、これによって、使用者は、衣類に応じて好みの脱水性能を実現することができる。また、水量設定スイッチに２つの機能切換を持たせることにより、部品のコストが減少し、部品の実装に要する面積も小さくなり、操作表示部分の配置の自由度を向上させることができる。
【００４１】
（実施の形態２）
図６は、本発明の実施の形態２における洗濯機の操作表示の制御フローチャートである。
【００４２】
図６において、ステップＳ１〜ステップＳ９は、図４と同一であり説明を省略する。
【００４３】
ステップＳ２で運転するコースを選択した後、行程設定スイッチ３０１で、脱水行程のみが選択された場合（ステップＳ３のＹＥＳ）は、行程ＬＥＤ３１１の脱水のＬＥＤが点灯する。ここで、脱水行程では、水受け槽１６に水を入れることは無いので、水量の設定は不要であるから、入出力切換手段３は、水量設定スイッチ３０２を脱水立ち上げ速度用に変更して切り換え、７セグメントＬＥＤ３１２も脱水立ち上げ速度用に変更して切り換える（ステップＳ２０）。
【００４４】
これにより、水量設定スイッチ３０２が押されるたびに、脱水立ち上げ速度が、例えば、１，２，３・・・のように、７セグメントＬＥＤ３１２に表示されるので、使用者は、好みに合わせて脱水立ち上げ速度のパターンを任意に選択することができる（ステップＳ２１）。
【００４５】
以上のように、本実施の形態においては、脱水のみの行程が選択された時、水量設定スイッチの機能を脱水立ち上げ速度設定用に変更することにより、脱水立ち上げ速度の選択を可能としたものであり、これによって、使用者は、振動騒音低減や時間短縮など、好みに応じた脱水を実現することができる。
【００４６】
（実施の形態３）
図７は、本発明の実施の形態３における洗濯機の操作表示の制御フローチャートである。
【００４７】
図７において、ステップＳ１〜ステップＳ９は、図４と同一であり説明を省略する。
【００４８】
ステップＳ２で運転するコースを選択した後、行程設定スイッチ３０１で、脱水行程のみが選択された場合（ステップＳ３のＹＥＳ）は、行程ＬＥＤ３１１の脱水のＬＥＤが点灯する。ここで、脱水行程では、水受け槽１６に水を入れることは無いので、水量の設定は不要であるから、入出力切換手段３は、水量設定スイッチ３０２を脱水回転数用に変更して切り換え、７セグメントＬＥＤ３１２も脱水回転数用に変更して切り換える（ステップＳ３０）。
【００４９】
これにより、水量設定スイッチ３０２が押されるたびに、脱水回転数が、例えば、１１，１２，１３・・・のように、７セグメントＬＥＤ３１２に表示されるので、使用者は、好みに合わせて脱水回転数を任意に選択することができる（ステップＳ３１）。例えば、１１番を選べば７００回転／分、１２番を選べば７５０回転／分といったように、脱水回転数を選択することができる。
【００５０】
以上のように、本実施の形態においては、脱水のみの行程が選択された時、水量設定スイッチの機能を脱水回転数設定用に変更することにより、脱水回転数の選択を可能としたものであり、これによって、使用者は、振動騒音低減や時間短縮、および、衣類に応じた好みの脱水性能を実現することができる。
【００５１】
なお、実施の形態１、２、および３において、脱水のみの行程が選択された時に、水量設定スイッチの機能を切り換えて、切り換えた機能で設定ができるとしたが、洗い行程やすすぎ行程を単独で設定した場合も、その行程に不必要な入力設定スイッチがあれば、洗い時間、すすぎ回数、すすぎ方法などそれぞれの個別設定を新たに行えるようにすることもできる。
【産業上の利用可能性】
【００５２】
以上のように、本発明にかかる洗濯機は、特定の入力設定スイッチに２つの機能切換を持たせることにより、操作性向上、コスト減少や操作表示部分の配置の自由度を向上させることが可能となるので、入力スイッチや表示手段を有する他の電化機器の用途に適用できる。
【符号の説明】
【００５３】
１  入力設定手段
２  表示手段
３  入出力切換手段
４  制御装置
５  洗濯実行手段
１４  洗濯兼脱水槽
１５  撹拌翼
１６  水受け槽
１８  Ｖベルト
２２  外枠
５３  モータ
５４  減速機構兼クラッチ
５６  制御手段
３０１  行程設定スイッチ
３０２  水量設定スイッチ
３０４  コース設定スイッチ
３１２  ７セグメントＬＥＤ
【図１】
2014004058.tif 000003
【図２】
2014004058.tif 000004
【図３】
2014004058.tif 000005
【図４】
2014004058.tif 000006
【図５】
2014004058.tif 000007
【図６】
2014004058.tif 000008
【図７】
2014004058.tif 000009
【図８】
2014004058.tif 000010